【手続補正書】
【提出日】平成18年12月25日(2006.12.25)
【手続補正１】
【補正対象書類名】明細書
【補正対象項目名】全文
【補正方法】変更
【補正の内容】
【書類名】  明細書
【発明の名称】  マルチレベルアンテナ
【特許請求の範囲】
【請求項１】  少なくとも１つのマルチレベル構造物を含むアンテナであって、上記マルチレベル構造物は、同数の辺をそれぞれ有する多角形エレメントの集合または同数の面をそれぞれ有する多面体エレメントの集合を備え、上記アンテナにおいて、
上記多角形エレメントまたは多面体エレメントは単一サイズではなく、
上記各エレメントは、少なくとも１つの接点により直接に結合されるか、または結合をもたらす小さな分離を介して結合されるかのいずれかによって、上記エレメントのうちの他の少なくとも１つと電磁的に結合され、
上記多角形エレメントまたは多面体エレメントの少なくとも７５％において、上記多角形エレメントまたは多面体エレメント間の接触範囲または面積は、上記エレメントの周または面積の５０％未満であり、それにより、上記マルチレベル構造物において、当該マルチレベル構造物を形成する多角形または多面体エレメントの大多数を幾何学的に区別可能にすることを特徴とするアンテナ。
【請求項２】  上記アンテナはマルチバンドアンテナであることを特徴とする請求項１記載の少なくとも１つのマルチレベル構造物を含むアンテナ。
【請求項３】  上記マルチレベル構造物は、少なくとも２つの異なる種類の形状を有する複数の多角形エレメントまたは複数の多面体エレメントを備えたことを特徴とする
請求項１または２記載の少なくとも１つのマルチレベル構造物を含むアンテナ。
【請求項４】  上記多角形エレメントまたは多面体エレメント間の接触範囲または面積の大きさは単一ではないことを特徴とする請求項１乃至３のうちのいずれか１つに記載の少なくとも１つのマルチレベル構造物を含むアンテナ。
【請求項５】  上記マルチレベル構造物は少なくとも４つの多角形エレメントまたは多面体エレメントを備えたことを特徴とする請求項１乃至４のうちのいずれか１つに記載の少なくとも１つのマルチレベル構造物を含むアンテナ。
【請求項６】  少なくとも１つの上記マルチレベル構造物は複数の三角形のみによって形成されることを特徴とする請求項１乃至５のうちのいずれか１つに記載の少なくとも１つのマルチレベル構造物を含むアンテナ。
【請求項７】  上記マルチレベル構造物は、四角形、五角形、六角形、七角形、八角形、十角形、十二角形からなるグループから選択された、単一種類の多角形のみによって形成されることを特徴とする請求項１乃至５のうちのいずれか１つに記載の少なくとも１つのマルチレベル構造物を含むアンテナ。
【請求項８】  上記マルチレベル構造物は円または楕円のみによって形成されることを特徴とする請求項１乃至５のうちのいずれか１つに記載の少なくとも１つのマルチレベル構造物を含むアンテナ。
【請求項９】  少なくとも１つの上記マルチレベル構造物は多面体のみによって形成されることを特徴とする請求項１乃至５のうちのいずれか１つに記載の少なくとも１つのマルチレベル構造物を含むアンテナ。
【請求項１０】  少なくとも１つの上記マルチレベル構造物は円筒または円錐のみによって形成されることを特徴とする請求項１乃至５のうちのいずれか１つに記載の少なくとも１つのマルチレベル構造物を含むアンテナ。
【請求項１１】  上記マルチレベル構造物は、モノポール構成になるように設けられることを特徴とする請求項１乃至１０のうちのいずれか１つに記載の少なくとも１つのマルチレベル構造物を含むアンテナ。
【請求項１２】  上記モノポールは、接地面に対して実質的に垂直に設けられることを特徴とする請求項１１記載の少なくとも１つのマルチレベル構造物を含むアンテナ。
【請求項１３】  上記マルチレベル構造物はパッチアンテナ構成を有し、アース面に対して実質的に平行に設けられることを特徴とする請求項１乃至８のうちのいずれか１つに記載の少なくとも１つのマルチレベル構造物を含むアンテナ。
【請求項１４】  上記マルチレベル構造物は、少なくとも１つの無給電エレメントが設けられた平面マイクロストリップまたはパッチ構造物を有する複数の放射エレメントのうちの１つに含まれることを特徴とする請求項９または１０記載の少なくとも１つのマルチレベル構造物を含むアンテナ。
【請求項１５】  上記マルチレベル構造物は、ダイポール構成アンテナの少なくとも一方のアームに含まれることを特徴とする請求項１乃至８のうちのいずれか１つに記載の少なくとも１つのマルチレベル構造物を含むアンテナ。
【請求項１６】  上記マルチレベル構造物は、接地面を備えた実質的に共面構成のアンテナの一部を形成することを特徴とする請求項１乃至７のうちのいずれか１つに記載の少なくとも１つのマルチレベル構造物を含むアンテナ。
【請求項１７】  上記マルチレベル構造物は、角錐状のホーンの面のうちの少なくとも１つを形成することを特徴とする請求項１乃至７のうちのいずれか１つに記載の少なくとも１つのマルチレベル構造物を含むアンテナ。
【請求項１８】  上記マルチレベル構造物またはその周は、円錐ホーン型または角錐ホーン型のアンテナの断面を形成することを特徴とする請求項１乃至８のうちのいずれか１つに記載の少なくとも１つのマルチレベル構造物を含むアンテナ。
【請求項１９】  上記マルチレベル構造物の周は、螺旋型アンテナの少なくとも１つのループの形状を決定することを特徴とする請求項１乃至８のうちのいずれか１つに記載の少なくとも１つのマルチレベル構造物を含むアンテナ。
【請求項２０】  当該アンテナはアレイアンテナの一部であることを特徴とする請求項１乃至８のうちのいずれか１つに記載の少なくとも１つのマルチレベル構造物を含むアンテナ。
【請求項２１】  上記マルチレベル構造物は、導体材料、超伝導体材料または誘電体材料、あるいはその組み合わせから構成されることを特徴とする請求項１乃至８のうちのいずれか１つに記載の少なくとも１つのマルチレベル構造物を含むアンテナ。
【請求項２２】  当該アンテナは、マルチレベル構造の境界を設ける余地のある周を有しかつ同じ共振周波数で動作する円形アンテナ、正方形アンテナまたは三角形アンテナに比較して、小さいサイズを有することを特徴とする請求項１乃至８のうちのいずれか１つに記載の少なくとも１つのマルチレベル構造物を含むアンテナ。
【請求項２３】  当該アンテナは、マルチバンド動作により、複数の周波数で同時に動作できるようになり、それによって複数の通信サービスまたはシステムによって共用できるようになることを特徴とする請求項１乃至８のうちのいずれか１つに記載の少なくとも１つのマルチレベル構造物を含むアンテナ。
【請求項２４】  当該アンテナは、移動電話の基地局、送信機もしくは受信機等の通信端末、乗物、通信衛星、またはレーダシステムにおいて使用されることを特徴とする請求項１乃至８のうちのいずれか１つに記載の少なくとも１つのマルチレベル構造物を含むアンテナ。
【請求項２５】  当該アンテナが非効率的に放射するとき、マルチバンド共振器または小型共振器として使用されることを特徴とする請求項１乃至８のうちのいずれか１つに記載の少なくとも１つのマルチレベル構造物を含むアンテナ。
【請求項２６】  当該アンテナは、上記マルチレベル構造物を入力／出力コネクタにリンクする相互接続回路であって、インピーダンス適応ネットワーク、フィルタまたはダイプレクサを組み込むために使用される相互接続回路を備えたことを特徴とする請求項１乃至８のうちのいずれか１つに記載の少なくとも１つのマルチレベル構造物を含むアンテナ。
【請求項２７】  上記マルチレベル構造物には、そのサイズ、共振周波数、放射パターン、またはインピーダンスを含む特性のうちの少なくとも１つを変更するために容量性エレメントまたは誘導性エレメントが装荷されたことを特徴とする請求項１乃至８のうちのいずれか１つに記載の少なくとも１つのマルチレベル構造物を含むアンテナ。
【請求項２８】  当該アンテナは、同じ種類の複数のマルチレベル構造物を備え、上記種類に属するマルチレベル構造物は、同数の、同じ特徴的な多角形エレメントまたは多面体エレメントと、同じ配置と、エレメント間の同じ結合とを備え、第１レベルのマルチレベル構造物とみなされ、
上記複数のマルチレベル構造物は、上記多角形エレメントまたは多面体エレメントが上記第１レベルのマルチレベル構造物を形成する場合と同様の方法によって、より高位の構造物にグループ化されることを特徴とする請求項１乃至８のうちのいずれか１つに記載の少なくとも１つのマルチレベル構造物を含むアンテナ。
【請求項２９】  上記マルチレベル構造物は、頂点で結合された５つの三角形を備え、三角形形状の外周を形成することを特徴とする請求項１乃至６のうちのいずれか１つに記載の少なくとも１つのマルチレベル構造物を含むアンテナ。
【請求項３０】  上記マルチレベル構造物は、頂点で結合された５つの三角形と、当該マルチレベル構造物の上部に結合された台形形状の誘導ループとを備えたことを特徴とする請求項１乃至６のうちのいずれか１つに記載の少なくとも１つのマルチレベル構造物を含むアンテナ。
【請求項３１】  上記マルチレベル構造物は、ガラス繊維プリント回路基板上に印刷された銅シートからなることを特徴とする請求項１乃至８のうちのいずれか１つに記載の少なくとも１つのマルチレベル構造物を含むアンテナ。
【請求項３２】  当該アンテナは、少なくともＧＳＭバンドおよびＤＣＳバンドの両方において動作することを特徴とする請求項１乃至３１のうちのいずれか１つに記載の少なくとも１つのマルチレベル構造物を含むアンテナ。
【請求項３３】  当該アンテナは複数の周波数バンドにおいて動作し、
上記複数の周波数バンドのうちの少なくとも１つは、８９０乃至９６０ＭＨｚおよび１７１０乃至１８８０ＭＨｚの周波数範囲内で動作することを特徴とする請求項１乃至３２のうちのいずれか１つに記載の少なくとも１つのマルチレベル構造物を含むアンテナ。
【請求項３４】  当該アンテナは複数の周波数バンドにおいて動作し、
上記複数の周波数バンドのうちの少なくとも１つは、１８８０乃至１９３０ＭＨｚおよび３４００乃至３６００ＭＨｚの周波数範囲内で動作することを特徴とする請求項１乃至３３のうちのいずれか１つに記載の少なくとも１つのマルチレベル構造物を含むアンテナ。
【請求項３５】  動作するバンドの個数は、上記マルチレベル構造物のレベルの個数に比例することを特徴とする請求項１乃至３４のうちのいずれか１つに記載の少なくとも１つのマルチレベル構造物を含むアンテナ。
【請求項３６】  請求項１乃至３５のうちのいずれか１つに記載のアンテナを備えたことを特徴とする携帯通信装置。
【発明の詳細な説明】
【０００１】
（発明の目的）
本発明は、アンテナ構造においてアンテナを形成する基本的なエレメントのそれぞれが区別できるように、電磁的に結合されまたグループ化される複数の類似した幾何学エレメント（多角形、多面体）の集合により形成されるアンテナに関する。
【０００２】
さらに特定すると、それは、以下の２つの主要な優位点を提供する前記アンテナの特定的な幾何学設計に関する。つまり、アンテナは複数の周波数で同時に動作してよい、および／またはそのサイズは大幅に縮小できる。
【０００３】
本発明の適用の範囲は、おもに電気通信の分野にあり、さらに特定すると、無線通信の分野にある。
（発明の背景技術及び概要）
【０００４】
アンテナは、ジェームズ  Ｃ．  マックスウェルが１８６４年に電磁気学の根本的な法則を公準として立てた後、１９世紀の最後近くに最初に開発された。最初のアンテナの発明は、１８８６年のハインリッヒ  ヘルツによるものに帰することができ、これにより、空気中における電磁波の伝搬が実証された。４０年代半ば、波長を基準にしたアンテナサイズの削減に関して、アンテナの根本的な制約が示され、６０年代の初めに、周波数に関係のない最初のアンテナが出現した。その時点で、へリックス、螺旋、対数周期群、円錐形、および角度だけによって定義された構造が、ワイドバンドアンテナの構築のためにに提案された。
【０００５】
１９９５年には、フラクタル型またはマルチフラクタル型のアンテナ（スペイン国特許出願番号第９５０１０１９号）が導入され、これは、その幾何学形状のため、複数の周波数において動作し、また所定の場合では小さいサイズになる。その後、ＧＳＭ９００とＧＳＭ１８００のバンドにおいて同時に動作する多三角形（ｍｕｌｔｉｔｒｉａｎｇｕｌａｒ）アンテナ（スペイン国特許出願番号第９８００９５４号）が導入された。
【０００６】
本願明細書で説明されるアンテナは、フラクタル型アンテナおよびマルチフラクタル型アンテナにその起源を有するが、前記アンテナの動作を制限し、その現実環境での適用性を低下させる実際の性質上のいくつかの問題を解決する。
【０００７】
フラクタルオブジェクトは、無限数のエレメントを含む数学的な抽象概念であるため、科学的な観点から、厳密には、フラクタルアンテナは不可能である。有限数の反復を取り入れた前記フラクタルオブジェクトに基づく形状を備えるアンテナを作成することは可能である。このようなアンテナの性能は、それぞれ１つの特定的な幾何学形状に制限される。例えば、バンドの位置およびその相対的な間隔は、フラクタルな幾何学形状に関係するが、そのフラクタルな外観を維持すると同時に、無線電気的スペクトルの正しい領域内にバンドを設定するようにアンテナを設計することは、必ずしもつねに可能、実行可能または経済的ではない。第１に、切り捨ての影響は、理想的なフラクタルアンテナの理論上の動作に近似しようと試みる現実のフラクタル型アンテナを使用することにより生じる制限の明確な例を含意する。この影響により、低い方のバンドにおいて理想的なフラクタル構造物の動作から乖離し、それを、その他のバンドを基準にしてその理論上の位置から変位し、要約すると、アンテナにとって大きすぎるサイズを要求することになり、このことにより現実の応用が妨げられる。
【０００８】
このような実際上の問題に加えて、各用途の要件に適したインピーダンスレベル又は放射パターンをもたらすようにフラクタル構造物を変形させることは必ずしもつねに可能ではない。これらの理由のため、フラクタル幾何学形状を離れ、アンテナの周波数バンドの位置、適応レベル、およびインピーダンス、偏波、および放射パターンに関してさらに大きな柔軟性を提供する、その他の種類の幾何学形状にたよることがしばしば必要である。
【０００９】
多三角形（Ｍｕｌｔｉｔｒｉａｎｇｕｌａｒ）構造物（スペイン国特許出願番号第９８００９５４号）は、アンテナがＧＳＭおよびＤＣＳセルラー電話の基地局で使用できるように設計された幾何学形状を備える非フラクタル構造物の例であった。前記特許出願明細書に説明されるアンテナは、バンド８９０ＭＨｚ〜９６０ＭＨｚ、および１７１０ＭＨｚ〜１８８０ＭＨｚでの使用に適切なサイズの、その頂点だけで接合される３つの三角形から成り立っていた。これは、特定の環境向けの特定の解決策であり、他の環境用のその他のアンテナ設計に対処するために必要とされる柔軟性および多様性を提供しなかった。
【００１０】
マルチレベルアンテナは、フラクタルアンテナおよび多三角形アンテナの動作上の制限を解決する。それらの幾何学形状は、はるかに柔軟で、豊富で、変化に富み、いくつかの例を挙げるだけでも、パターン、バンド位置、およびインピーダンスレベルに関するさらに大きな多様性を提供するだけではなく、２つのバンドからさらに多くのバンドまでアンテナの動作も可能にする。マルチレベルアンテナはフラクタルではないが、それらは、それらが全体的な構造の中において互いに区別できる数多くのエレメントを備えるという点で特徴付けられる。正確には、それらが複数のレベルの詳細構造（全体的な構造のレベル、およびそれを構成する個々のエレメントのレベル）を明らかに提示するので、アンテナは、マルチバンド動作および／または小さなサイズを提供する。それらの名前の起源も前記特性にある。
【００１１】
本発明は、基本的に複数の同じ種類の多角形または多面体を備える幾何学形状によってそれぞれ特徴付けられる複数の放射エレメントを有するアンテナを備えて構成される。すなわち、上記幾何学的形状は、例えば、三角形、正方形、五角形、六角形、または、多数の辺を持つ極限的な多角形としての円形と楕円形のエレメントを含むとともに、四面体、六面体、角柱、十二面体等のエレメントを含み、これらのエレメントは、互いに電気的に（少なくとも１つの接点を通して、または容量結合を提供する小さな分離を通して）結合され、これらのエレメントはまた、アンテナ本体において当該アンテナが備える多角形または多面体エレメントを特定できるように、より高位のレベルの構造物にグループ化される。このように生成された構造物は、次いで、基本エレメントの場合に類似した方法でより高位の構造物にグループ化することが可能であり、以下同様に、アンテナ設計者が所望するだけ多数のレベルが存在する状態に到達するまで、同様の処理を反復することができる。
【００１２】
マルチレベルアンテナというその呼称はまさに、アンテナの本体では、少なくとも２つのレベルの詳細構造が特定できるという事実による。つまり、全体的な構造のレベルと、それを構成するエレメント（多角形または多面体）の大部分のレベルとである。このことは、アンテナを形成するエレメントの大部分の間の接触範囲または（それが存在する場合には）交差範囲が、前記多角形または多面体の周または表面、あるいは取り囲む領域の一部にすぎない状態を確実にすることにより達成される。
【００１３】
マルチレベルアンテナに特有の性質とは、その無線電気的動作が、いくつかの周波数バンドで類似したものになることが可能であるという点にある。アンテナ入力パラメータ（インピーダンスおよび放射パターン）は、複数の周波数バンドににおいて同様に維持され（つまり、アンテナは、異なる各バンドにおいて、同じレベルの適応または定在波比の関係を有する）、多くの場合、アンテナは、さまざまな周波数でほぼ同一の放射パターンを提示する。このことはまさに、アンテナのマルチレベル構造物のため、つまり、アンテナにおいてそれを構成する基本的なエレメント（同種の多角形または多面体）の大部分を特定することが可能なままであるという事実による。周波数バンドの数は、主要な放射エレメントの幾何学形状に含まれる複数の多角形エレメントのスケールまたはサイズの数、またはそれら多角形エレメントがグループ化された類似する集合のスケールまたはサイズの数に比例する。
【００１４】
マルチレベル構造アンテナは、それがマルチバンド動作を行うことに加えて、一般には、（単一の多角形または多面体から成り立つものなどの）さらに簡略な構造の他のアンテナに比較して、通常より小さなサイズを有する。このことは、多数の多角形または多面体エレメントの間の空の空間に起因して、マルチレベル構造物において電流が流れる経路が、単純な幾何学形状の場合よりさらに長く、さらに曲がりくねっているからである。前記空の空間は、指定された経路を流れることを電流に強制し（電流は前記空間を迂回しなければならない）、電流はより長い距離を移動し、そのためより低い周波数での共振が発生する。さらに、そのエッジ部が長く（ｅｄｇｅ−ｒｉｃｈ）、不連続部を豊富に含む（ｄｉｓｃｏｎｔｉｎｕｉｔｙ−ｒｉｃｈ）構造が、放射プロセスを簡略化し、アンテナの放射抵抗を相対的に増加し、品質係数を削減する、つまりその帯域幅を増大させる。
【００１５】
したがって、マルチレベルアンテナのおもな特性は以下のとおりである。
−電磁的に結合され、より大きな構造物を形成するようにグループ化された、同じクラスの複数の多角形または多面体エレメントを備えるマルチレベル幾何学形状。マルチレベル幾何学形状では、これらのエレメントの大部分は、他のエレメント（これらが存在する場合）との接触、交差または相互連結の範囲がつねにその周または表面の５０％未満であるために、明確に可視である。
−幾何学形状から生じる無線電気的動作。つまり、マルチレベルアンテナは、（複数の周波数バンドにおいて同一または類似する）マルチバンド動作を提示することができる、および／または削減された周波数で動作することができ、このことがそれらのサイズの削減を可能にする。
【００１６】
当該専門分野の文献においては、いくつかのバンドをカバーすることを可能にする一定のアンテナ設計の記述を見出すことがすでに可能である。しかしながら、これらの設計において、マルチバンド動作は、複数の単一バンドアンテナをグループ化することによって、あるいは新しい共振周波数の出現を強制するリアクタンスエレメント（インダクタまたはコンデンサなどの集中エレメント、あるいは柱またはノッチなどのその統合されたバージョン）をアンテナに組み込むことによって達成されている。これに対して、マルチレベルアンテナは、それらの特定の幾何学形状をそれらの動作の基礎とし、（詳細構造のレベルの数に比例する）バンドの数、位置、相対的な間隔と幅に関してアンテナ設計者により大きな柔軟性を提供し、それによって最終的な製品のさらに優れた、さらに変化に富む特性を提供する。
【００１７】
マルチレベル構造物は、既知のアンテナ構成で使用することができる。例えば、ダイポール、モノポール、パッチまたはマイクロストリップアンテナ、共面アンテナ、リフレクタアンテナ、巻きアンテナまたはアンテナアレイを採用することができるが、これらに限定されるものではない。製造技術もマルチレベルアンテナを特徴付けるものではなく、よって、各構造または用途に応じて最も適した技術が使用可能である。例えば、フォトリソグラフィによる誘電体基板上への印刷（プリント回路基板技術）、金属プレート（薄板）におけるダイスによる型形成（ｄｉｅｉｎｇ）、誘電体での反発等である。
【００１８】
国際出願の国際公開ＷＯ９７／０６５７８号は、マルチレベルアンテナとは関係のないフラクタルアンテナを開示し、両方の幾何学形状は本質的に異なっている。
【００１９】
本発明のさらなる特性および優位点は、添付の図面を参照して、発明の好ましい実施形態について述べた以下の詳細な説明を読めば明らかになるであろう。ただし、以下の詳細な説明は、例示の目的のためだけに示されるものであって、発明の定義を限定するものではない。
【００２０】
（発明の好ましい実施の形態の記述）
本発明の好ましい実施態様に関する後続の詳細な説明では、各図面を通じて一貫した参照番号が使用され、ここで、同じ番号が同一のまたは類似するパーツを示す。
【００２１】
本発明は、マルチレベル構造物形式の少なくとも１つの構成要素エレメントを含むアンテナに関する。マルチレベル構造物は、同じ種類の複数の多角形または多面体のエレメント（例えば、三角形、平行六面体、五角形、六角形等、ならびに、多数の辺を持つ極限的な多角形としての円形と楕円形のエレメントとともに、四面体、六面体、角柱、十二面体等のエレメント）を集めて形成されたものとして特徴付けられ、ここで、これらのエレメントは、エレメント間の所定距離の近接部を介してか、または直接的な接点を介してかのいずれかによって電磁的に互いに結合される。マルチレベル構造物または形状は、その構成要素エレメント（多角形または多面体）間の相互連結（これが存在する場合）により、別の従来の形状とは明確に区別される。マルチレベル構造物の構成要素エレメントの少なくとも７５％においては、（多角形の場合には）その周の５０％を超える部分は、構造物の他のエレメントのどれとも接触しない。このようにして、マルチレベル構造物では、その基本的な構成要素エレメントの大部分を幾何学的に特定し、個々に区別することは容易であり、詳細構造の少なくとも２つのレベルが提示されている。つまり全体的な構造のレベル、およびそれを形成する多角形または多面体エレメントのレベルである。「マルチレベル」という名前はまさに、この特性のためであり、多岐にわたるサイズの多角形または多面体が含まれているという事実に起因する。さらに、複数のマルチレベル構造物がグループ化されて互いに電磁的に結合されることにより、より高位のレベルの構造物を形成する。マルチレベル構造物では、すべての構成要素エレメントは、同数の辺を備える多角形または同数の面を備える多面体である。当然のことながら、この特性は、さまざまな性質の複数のマルチレベル構造物がグループ化されて電磁的に結合されることにより、より高位のレベルのメタ構造物を形成するときには成り立たない。
【００２２】
このようにして、図１〜図７には、マルチレベル構造物のいくつかの特定的な例が示される。
【００２３】
図１は、多様なサイズおよび形状の三角形のみを備えて構成されたマルチレベルエレメントを示す。この特定の場合では、複数の三角形はその周の狭い領域のみにおいて、この場合ではその頂点のみにおいて重複するので、すべてのエレメント（黒色の三角形）を個々に区別できることに注意する。
【００２４】
図２は、多様な構成を取るマルチレベルアンテナの組み立て物（アセンブリ）の例を示す。つまり、モノポール（２１）、ダイポール（２２）、パッチ（２３）、共面アンテナ（２４）、側面図（２５）および前面図（２６）でのコイル、およびアレイ（２７）である。これらの例に関して、マルチレベルアンテナは、その構成の違いには無関係にその特徴的な放射エレメントの幾何学形状において、その他のアンテナとは異なることに注意する必要がある。
【００２５】
図３は、三角形の起源を有するマルチレベル構造物（３．１〜３．１５）の別の例を示し、ここでは、すべてが三角形から構成されている。（３．１４）の場合が（３．１３）の場合の進化形であることに注意する。４つの三角形が互いに接触しているにも関わらず、エレメントの７５％（中央の三角形を除く３つの三角形）において、周の５０％を超える部分は自由な状態である。
【００２６】
図４は、平行六面体（正方形、矩形、菱形・・・）によって形成されるマルチレベル構造物（４．１〜４．１４）を示す。構成要素エレメントは、つねに個々に特定可能である（少なくともそれらの大部分が特定可能である）ことに注意する。特に、（４．１２）の場合では、複数のエレメントの周の１００％は自由な状態であり、それらの間には物理的な連結はない（結合は、エレメント間の相互キャパシタンスによって近接した部分を介して達成される）。
【００２７】
図５、図６および図７は、それぞれ五角形、六角形、および多面体に基づいた他のマルチレベル構造物の例を示すが、マルチレベル構造物はこれらの例に限定されるものではない。
【００２８】
マルチレベルアンテナとそれ以外の既存のアンテナの相違点は、そのアンテナとしての構成や、または製造のために使用される材料にあるのではなく、特定の幾何学形状にあるということに注意する必要がある。したがって、マルチレベル構造物は、以下に限定するものではないが例えば、ダイポール、モノポール、パッチ、またはマイクロストリップアンテナ、共面アンテナ、リフレクタアンテナ、巻きアンテナ、またはアレイなどの既知のアンテナ構成とともに使用されてもよい。一般的には、マルチレベル構造物は、例えば、モノポールの場合にはアーム、接地面、またはそれらの両方であり、ダイポールの場合には一方または両方のアームであり、マイクロストリップ、パッチまたは共面アンテナの場合にはパッチまたはプリントされたエレメントであり、リフレクタアンテナの場合にはリフレクタであり、あるいはホーン型アンテナの場合には円錐セクションまたはアンテナの壁部である構成を特徴として備えた放射エレメントの一部を形成する。また、螺旋型アンテナ構成を使用することも可能であり、この場合、その１つまたは複数のループの幾何学形状部分は、マルチレベル構造物の外周である。すべての場合において、マルチレベルアンテナと従来のアンテナの相違点は、放射エレメントの幾何学形状、またはその構成要素の幾何学形状にあり、その特定的な構成にあるのではない。
【００２９】
本発明の本質はその特定的な構成にあるではなく、マルチレベル構造物中で使用される幾何学形状にあるので、マルチレベルアンテナの実現は、製造材料および技術のいずれによっても特に限定されるものではなく、各用途に最も適していると考えられる既存の技術または将来の技術の任意のものを使用可能である。このようにして、マルチレベル構造物は、つねに各場合および用途の特定の要件に応じて形成されることが可能であり、例えば、導体材料または超伝導体材料のシートやパーツによって形成されたり、プリント回路の場合におけるように、金属コーティングにより誘電体基板（不撓（堅い）または可撓）に対して印刷することによって形成されたり、マルチレベル構造物を形成する複数の誘電体材料のインブリケーション等によって形成されたりしてもよい。いったんマルチレベル構造物が形成されると、アンテナの実現は選ばれた構成（モノポール、ダイポール、パッチ、ホーン、リフレクタ・・・）に依存する。モノポールアンテナ、螺旋アンテナ、ダイポールアンテナおよびパッチアンテナの場合には、複数の類似する（ｍｕｌｔｉｓｉｍｉｌａｒ）構造物が金属サポート上で実現され（簡略な手順は、未使用のプリント回路誘電体基板に対してフォトリソグラフィプロセスを適用することを含む）、この構造物は標準的なマイクロ波コネクタ上に設けられ、モノポールまたはパッチの場合には、このコネクタは次いで、任意の従来のアンテナの場合と同様に接地面（典型的には金属板または筐体）に接続される。ダイポールの場合については、２つの同一のマルチレベル構造物が、アンテナの２つのアームを形成する。開口アンテナの場合には、マルチレベル幾何学形状は、ホーンの金属壁またはその断面の一部であってよく、最後に、リフレクタの場合には、複数の類似するエレメントまたはこれらの集合が、リフレクタを形成したり、あるいはカバーしたりしてもよい。
【００３０】
マルチレベルアンテナのもっとも関連のある特性は、主にその幾何学的形状に起因するものであり、以下に挙げる事項、すなわち、いくつかの周波数バンドにおいて同じ方法（同様のインピーダンスおよび放射パターン）で同時に動作可能であること、および単一の多角形または多面体のみに基づいた他の従来のアンテナに比較してサイズを縮小することが可能であることである。このような特性は特に通信システムの分野に関連するものである。いくつかの周波数バンドにおいて同時に動作可能であることにより、従来のようにひとつずつのアンテナをそれぞれのシステムまたはサービスに割り当てるのではなく、単一のマルチレベルアンテナをいくつかの通信システムに組み込むことが可能となる。サイズの縮小は特にアンテナを、その都会または田園景観における視覚的影響、または乗物または携帯通信装置に組み込む場合におけるその非美的または非空力的な効果により隠さなければならない場合に有用である。
【００３１】
マルチバンドアンテナを実際の環境に使用することにより得られる利点の例としては、ＧＭＳおよびＤＣＳ環境に使用される、後でさらに説明するマルチレベルアンテナＡＭ１が挙げられる。これらのアンテナは両方の携帯電話システムにおける無線仕様に適合するように設計される。両方のバンド（９００ＭＨｚおよび１８００ＭＨｚ）に単一のＧＳＭおよびＤＣＳマルチレベルアンテナを使用することにより、携帯電話のオペレータは、ネットワークによってサポートされる利用者（顧客）の数を増加しながら費用とステーションネットワークの環境影響とを低減することができる。
【００３２】
マルチレベルアンテナをフラクタル型アンテナと差別化することは特に重要である。後者はフラクタル幾何学に基づくものであり、実際には実現困難な抽象数学的概念に基づくものである。専門分野の科学技術文献は通常、非整数ハウスドルフ（Ｈａｕｓｓｄｏｒｆ）次元を持つ幾何学的対象物をフラクタルとして定義している。このことは、フラクタルオブジェクトが抽象または概念としてのみ存在し、その幾何学的形状は具体的な物体または形状としては（厳密には）考えられないということを意味するが、一方、科学技術用語の意味において厳密にはフラクタルでは形状を有するものの、このような幾何学的形状に基づいたアンテナはこれまでにも開発され、科学的文献に広く記載されていることも事実である。これらのアンテナのいくつかはマルチバンド動作（そのインピーダンスおよび放射パターンはいくつかの周波数バンドにおいて事実上一定のままである）をもたらすものであるが、実際の環境での使用についてアンテナが要求されるすべての動作をそれら自体が提供するものではない。従って、例えばシェルピンスキー型のアンテナは、２倍に間隔をあけたＮバンドを持つマルチバンド動作を有するものであり、このような間隔によれば、当該アンテナを通信ネットワークＧＳＭ９００ＭＨｚおよびＧＳＭ１８００ＭＨｚ（またはＤＣＳ）に使用するよう想達し得るかもしれないが、これらの周波数におけるその放射パターンおよびサイズは不適であるので、実際の環境において実際に使用することが阻まれる。端的には、マルチバンド動作を提供することに加えてそれぞれの特定の用途に要求されるすべての仕様を満たすアンテナを得るためには、フラクタル幾何学的形状を放棄し、例えばマルチレベル幾何学的形状のアンテナに頼ることがほとんど常に必要である。一例としては、図１、３、４、５および６に示す構造はどれもフラクタルではない。これらのハウスドルフ次元はすべてについて２に等しく、これらの位相的次元に等しいものである。同様に、図７のマルチレベル構造物はいずれもフラクタルではなく、これらのハウスドルフ次元は位相的次元と同じく３に等しい。
【００３３】
いずれにしろ、マルチレベル構造物はアンテナアレーと混同されるべきではない。アレーが複数の同一のアンテナにてなる集合によって形成されることは事実であるものの、これらにおいては、エレメントは電磁的には切り離されており、まさにマルチレベルアンテナにおいて意図されているのと反対である。アレーにおいてはそれぞれのエレメントは、各エレメント毎にそれぞれ特定の単一の送信機または受信機によって独立に給電されるか、または単一の分配ネットワークによって給電されるかのいずれかである一方、マルチレベルアンテナにおいては、構造物はそのエレメントのうちの数個において励振され、残りのエレメントは（互いに隣接するエレメントの周または表面の５０パーセント未満の領域において）電磁的にまたは直接接続によって接続されている。アレーにおいては、個々のアンテナの指向性利得を向上させることかまたは特定の用途のためのパターンを形成することが追及されるが、マルチレベルアンテナにおいてはマルチバンド動作を達成することまたはアンテナのサイズを縮小することを目的としており、このことはアレーとは用途が完全に異なることを意味する。
【００３４】
例示のみを目的として、特定の環境および用途におけるマルチレベルアンテナ（ＡＭ１およびＡＭ２）の動作モードの２つの実施例（ただし、これらによって限定されるものではない）を以下に記載する。
【００３５】
ＡＭ１モード
このモデルは、図８に示すマルチレベルパッチ型アンテナからなり、これは、ＧＳＭ９００（８９０ＭＨｚ〜９６０ＭＨｚ）およびＧＳＭ１８００（１７１０ＭＨｚ〜１８８０ＭＨｚ）のバンドにおいて同時に作動し、水平面においてセクタ放射パターンを提供する。アンテナは主にＧＳＭ９００および１８００携帯電話の基地局において使用されるものと考えられる（ただしこれに限定されるものではない）。
【００３６】
マルチレベル構造物（８．１０）またはアンテナパッチは、通常のガラス繊維プリント回路基板上に印刷された銅シートからなる。マルチレベル幾何学的形状は、図８に示すように、頂点において互いに連結された５つの三角形（８．１〜８．５）を備えて構成され、このマルチレベル幾何学的形状の外周は、高さ１３．９センチメートル（８．６）の正三角形になるように形成されている。下部の三角形は高さが８．２センチメートルであり（８．７）、この下部の三角形と、これに隣接する２つの三角形とは、ともに、高さが１０．７センチメートル（８．８）である三角形になる周を備えた構造物を形成している。
【００３７】
マルチレベルパッチ（８．１０）は、２２×１８．５センチメートルの矩形アルミニウムのアース面（８．９）に平行に設けられる。パッチとアース面との間隔は３．３センチメートルであり、この間隔は支持部材として作用する（８．１２）一対の誘電体スペーサによって維持されている。
【００３８】
アンテナへの接続はマルチレベル構造物における２つの点において行われ、動作バンド（ＧＳＭ９００およびＧＳＭ１９００）のそれぞれにつき１つの点が使用される。励振は、接地面およびマルチレベル構造物に対して垂直に設けられ、金属シートによって容量的に終端された金属ポストによって行われる。ここで、この金属シートは、パッチに対する所定距離の近接部分（容量効果）により電気的に結合されている。これはパッチ構造アンテナにおいては標準的なシステムであるが、その目的は、その終端の容量効果によってポストの誘導効果を補償するものである。
【００３９】
励振ポストの基部においては、エレメントと、アンテナまたはコネクタへアクセスするポートとを相互に接続する回路が接続されている（８．１３）。この相互接続回路は、いくつかの例を挙げるとマイクロストリップ、同軸またはストリップ線路技術により形成してよく、この相互接続回路はまた、ポストの基部において測定されるインピーダンスを、入力／出力アンテナコネクタにおいて必要とされる５０オーム（これらの用途において一般的な定在波比の関係（ＳＷＲ）の典型的な許容量は、１．５未満である。）へと変換する従来技術の適応ネットワークを組み込んだものである。このコネクタは一般に、マイクロセル基地局用Ｎ型またはＳＭＡ型である。
【００４０】
インピーダンスを適応させまた放射エレメントとの相互接続を行うのに付け加えて、相互接続ネットワーク（８．１１）は、１つのアンテナが、２つのコネクタを備えた構成（それぞれのバンドにつきひとつ）に対して設けられたり、または両方のバンド用の単一のコネクタに対して設けられたりすることを可能とするダイプレクサを備えていてよい。
【００４１】
二重コネクタ構造については、ＧＳＭ９００端末とＧＳＭ１８００（ＤＣＳ）端末との間のアイソレーションを高めるために、ＤＣＳバンドの励振ポストの基部は、ＤＣＳの中心周波数における波長の半分に等しい電気的長さであり開回路で終端されている平行スタブに接続してよい。同様に、ＧＳＭ９００リードの端部において、開回路で終端され、かつＧＳＭバンドの中心周波数における波長の１／４よりわずかに長い電気的長さを有する平行スタブが接続されていてよい。このスタブは、ポストの残留誘導効果を補償するように調整可能な静電容量を、接続の基部にもたらすものである。さらに、このスタブはＤＣＳバンドにおいて非常に低いインピーダンスを示すのものであり、このことはこのバンドにおけるコネクタ間のアイソレーションを助ける。
【００４２】
図９および１０は、二重マルチレベルアンテナのこの具体的な実施態様における典型的な無線電気的動作を示す。
【００４３】
図９はＧＳＭ（図９．１）およびＤＣＳ（図９．２）における反射減衰量（Ｌτ）を示し、これらは、典型的には、−１４ｄＢ（この値はＳＷＲ＜１．５の場合に等しい）未満である。これにより、アンテナは両方の動作バンド（８９０ＭＨｚ〜９６０ＭＨｚおよび１７１０ＭＨｚ〜１８８０ＭＨｚ）において良好に適応化される。
【００４４】
図１０に、両方のバンドにおける垂直面（図１０．１および図１０．３）および水平面（図１０．２および図１０．４）における放射パターン図を示す。アンテナは両方とも、アンテナに垂直な方向（図１０．１および図１０．３）の主ローブを使って放射しており、また水平面（図１０．２および図１０．４）において、両方のパターン図は、６５°において３ｄＢになる典型的なビーム幅を備えたセクタ型であることを明らかに見て取ることができる。両方のバンドの典型的な指向性利得（ｄ）はｄ＞７Ｄｂである。
【００４５】
ＡＭ２モード
このモデルは、室内または無線を使うローカルアクセス環境におけるワイヤレス通信システム用の、図１１に示すモノポール構成のマルチレベルアンテナからなる。
【００４６】
このアンテナは、ＤＥＣＴシステムを伴う設備などのような１８８０ＭＨｚ〜１９３０ＭＨｚのバンドおよび３４００ＭＨｚ〜３６００ＭＨｚのバンドで同時に同様に動作する。このマルチレベル構造物は３つまたは５つの三角形によって形成されており（図１１および図３．６を参照のこと）、これに誘導ループ（１１．１）を付け加えてもよい。アンテナは水平面において全方向性の放射を行い、屋根または床への設置が主に考えられる（ただしこれに限定されない）。
【００４７】
マルチレベル構造物は、幅５．５センチメートル、高さ４．９センチメートル、厚さ０．８ミリで３．３８の誘電率を持つロジャーズ（Ｒｏｇｅｒｓ：商標）ＲＯ４００３誘電体基板（１１．２）上にプリント形成される。マルチレベルエレメントは、頂点で互いに結合されている３つの三角形（１１．３〜１１．５）からなり、下部の三角形（１１．３）は高さが１．８２センチメートルであり、一方、マルチレベル構造物の全高は２．７２センチメートルである。アンテナの全体サイズを縮小するために、この特定の応用例では、マルチレベルエレメントの上部に、台形形状の誘導ループ（１１．１）が設けられる。これにより放射エレメントの全体サイズは４．５センチメートルとなる。
【００４８】
マルチレベル構造物は、（アルミニウムなどの）金属製で長さまたは直径が約１８センチメートルの正方形または円形のアース面（１１．６）に対して垂直に設けられる。エレメントの最下部の頂点は接地面の中央に配置され、アンテナの励振点を形成する。この点においては、放射エレメントを入力／出力コネクタに接続する相互接続ネットワークが接続されている。この相互接続ネットワークは、いくつかの例を挙げるとマイクロストリップ、ストリップ線路、または同軸技術によって実装してよい。この特定の実施例においてはマイクロストリップ構造を採用した。放射エレメントとコネクタとの間の相互接続に付け加えて、ネットワークは、マルチレベルエレメントの頂点におけるインピーダンスを、入力／出力コネクタに必要とされる５０オーム（Ｌτ＜−１４ｄＢ，ＳＷＲ＜１．５）に適応させる、インピーダンス変換器として使用されることも可能である。
【００４９】
図１２および図１３は低バンド（１９００）および高バンド（３５００）におけるアンテナの無線電気的動作を略示するものである。
【００５０】
図１２は、両方のバンドの定在波比（ＳＷＲ）を示している。図１２．１は１８８０および１９３０ＭＨｚの間のバンドについて示しており、図１２．２は３４００および３６００ＭＨｚの間のバンドについて示している。これらの図によれば、対象のバンド全体に対して反射減衰量が１４ｄＢ未満、すなわちＳＷＲ＜１．５であるため、アンテナが良好に適応化されていることがわかる。
【００５１】
図１３は典型的な放射パターン図を示す。図（１３．１）、図（１３．２）および図（１３．３）はそれぞれ、垂直面、水平面、およびアンテナ面において測定した１９０５ＭＨｚにおけるパターンを示し、図（１３．４）、図（１３．５）および図（１３．６）はそれぞれ、垂直面、水平面、およびアンテナ面において測定した３５００ＭＨｚにおけるパターンを示す。
【００５２】
水平面における全方向的な動作、および垂直面における典型的な２つのローブを有するパターンを観察することができ、このとき、典型的なアンテナ指向性利得は、１９００バンドでは４ｄＢｉより大きい値になり、３５００バンドでは６ｄＢｉより大きい値になる。
【００５３】
このアンテナ動作において、動作は両方のバンドについて非常に類似しており（ＳＷＲおよびパターンの両方）、このことが当該アンテナをマルチバンドアンテナとしている点に留意するべきである。
【００５４】
ＡＭ１およびＡＭ２アンテナは両方とも典型的には、電磁放射を事実上透過させる誘電体レドームでコーティングされて、放射エレメントおよび接続ネットワークを外部からの侵害から保護するとともに美しい外見を施すこととなっている。
【００５５】
当業者が本発明の範囲とその結果としての利点とを理解するとともに本発明を再現するためには、本明細書の開示内容を超えるさらなる説明は必要ないであろう。
【００５６】
しかしながら、上の説明は好適な実施態様にのみ関連するものであるため、本発明の本質部分の中にその詳細事項のさまざまな改変を導入できることは理解されるべきであり、また、本発明の全体またはその部品のいずれかを生産するにあたり使用するサイズおよび／または材料も保護されることが理解されるべきである。
【図面の簡単な説明】
【図１】  三角形の多角形だけを備えるマルチレベルエレメントの特定的な例を示す。
【図２】  複数の構成のマルチレベルアンテナの組み立て物の例、つまりモノポール（２．１）、ダイポール（２．２）、パッチ（２．３）、共面アンテナ（２．４）、ホーン（２．５〜２．６）、およびアレイ（２．７）を示す。
【図３】  三角形に基づいたマルチレベル構造物の例を示す。
【図４】  平行六面体に基づいたマルチレベル構造物の例を示す。
【図５】  五角形に基づいたマルチレベル構造物の例を示す
【図６】  六角形に基づいたマルチレベル構造物を示す。
【図７】  多面体に基づいたマルチレベル構造物を示す。
【図８】  ＧＳＭ（９００ＭＨｚ）およびＤＣＳ（８００ＭＨｚ）セルラー電話の基地局のための、パッチ構成でのマルチレベルアンテナの特定的な動作モードの例を示す。
【図９】  図８に示したマルチレベルアンテナの入力パラメータ（５０オームのときの反射減衰量）を示す。
【図１０】  図８のマルチレベルアンテナの放射パターン図を水平面および垂直面において示す。
【図１１】  屋内無線通信システム用の、または無線アクセスローカルネットワーク環境における、モノポール構成のマルチレベルアンテナの特定的な動作モードの例を示す。
【図１２】  図１１のマルチレベルアンテナの入力パラメータ（５０オームのときの反射減衰量）を示す。
【図１３】  図１１のマルチレベルアンテナの放射パターン図を示す。